(57)【要約】【課題】吸収性物品が長時間使用された場合であっても、吸収性能を確保しつつ、フィット性を向上させ、さらに漏れを防ぐことができる吸収性物品を提供する。【解決手段】吸収性物品１は、長手方向Ｌに延びる表面シート１０と吸収体３０とが厚み方向Ｔに圧縮された圧搾溝５０を備え、前記圧搾溝５０は、一対の第１長手圧搾溝５１と、前記第１長手圧搾溝５１よりも幅方向両外側に配置された一対の第２長手圧搾溝５２とを有し、前記一対の第２長手圧搾溝５２に挟まれる前記吸収体３０は、前記一対の第２長手圧搾溝５２の間隔が前記幅方向に狭くなった、少なくとも一以上の括れ部５５を有し、前記第１長手圧搾溝５１及び前記第２長手圧搾溝５２のうちいずれか一方は、前記長手方向Ｌに高圧搾部５６と低圧搾部５７とが交互に配置され、前記第１長手圧搾溝５１及び前記第２長手圧搾溝５２のうちいずれか他方は、前記高圧搾部５６のみから構成される。【選択図】図３
2015093170.tif 000002
【特許請求の範囲】
【請求項１】
液透過性の表面シート、液不透過性の裏面シート及び前記表面シートと前記裏面シートとの間に設けられる吸収体を含み、製品の長手方向と該長手方向に直交する製品の幅方向とを有する吸収性物品であって、
前記長手方向に延びる前記表面シートと前記吸収体とが製品の厚み方向に圧縮された圧搾溝を備え、
前記圧搾溝は、一対の第１圧搾溝と、該第１圧搾溝と前記長手方向に非平行であって、前記第１圧搾溝よりも前記製品の幅方向両外側に配置された一対の第２圧搾溝とを有し、
前記一対の第２圧搾溝に挟まれる前記吸収体は、前記一対の第２圧搾溝の間隔が前記幅方向に狭くなった、少なくとも一以上の括れ部を有し、
前記第１圧搾溝及び前記第２圧搾溝のうちいずれか一方は、前記長手方向に高圧搾部と低圧搾部とが交互に配置されるように構成され、前記第１圧搾溝及び前記第２圧搾溝のうちいずれか他方は、前記高圧搾部のみから構成される吸収性物品。
【請求項２】
前記第１圧搾溝が前記高圧搾部と前記低圧搾部とを有する場合、前記高圧搾部は、前記幅方向外側に凸状の形状を有する請求項１記載の吸収性物品。
【請求項３】
前記第２圧搾溝が前記高圧搾部と前記低圧搾部とを有する場合、前記高圧搾部は、前記幅方向内側に凸状の形状を有する請求項１記載の吸収性物品。
【請求項４】
前記低圧搾部の前記幅方向長さが、前記高圧搾部の前記幅方向長さよりも短くなっている請求項１乃至３のいずれか一項に記載の吸収性物品。
【請求項５】
前記一以上の括れ部のうちの一つが前記長手方向中心に位置し、かつ前記第１圧搾溝が前記高圧搾部及び前記低圧搾部を有する場合、前記第１圧搾溝における前記長手方向中心に前記低圧搾部が配置される請求項１乃至４のいずれか一項に記載の吸収性物品。
【発明の詳細な説明】
【技術分野】
【０００１】
本発明は、生理用ナプキン等の吸収性物品に関する。
【背景技術】
【０００２】
従来、着用者の装着感を向上させることができる吸収性物品が提供されている（例えば、特許文献１）。特許文献１に記載の吸収性物品は、一対の可撓軸の円弧状が１カ所であり、一対の可撓軸間の距離が長手方向中央部において最も短くなっている。しかしながら、特許文献１に記載の吸収性物品では、長手方向において吸収性物品の装着位置がずれると、一対の可撓軸間の距離が短くなる部分が排泄口付近に対応して配置されず、フィット性が向上しないといった問題がある。
【０００３】
また、近年、吸収性物品が普及してきている開発途上国や新興国においては着用者の日中における装着時間が長いため、歩行時等に脚によって挟まれる回数が増え、繰り返し吸収体が幅方向内側に圧縮される。吸収性物品が繰り返し幅方向内側に圧縮されると、吸収体の幅がさらに短くなり、排泄口に対向する位置に吸収体が配置されなかったり、吸収体が硬化したりするおそれがある。
【０００４】
そこで、上記点に鑑み、吸収性物品の耐久性を向上させ、日中に長時間使用した場合であっても、吸収性機能を確保しつつ、フィット性や装着感の向上を可能とする吸収性物品が提案されている（特許文献２）。この吸収性物品は、表面シートと吸収体とを厚み方向に連続的、すなわち同程度の厚みで圧搾された圧搾溝が形成されている。圧搾溝は、一対の内側圧搾溝と、内側圧搾溝と非平行であり、内側圧搾溝より幅方向両外側に配置される一対の外側圧搾溝とを備える。そして、一対の外側圧搾溝に挟まれる吸収体が複数の括れを有するように構成することで、吸収性物品が着用者の股下に位置し、脚の間に挟まれて吸収体が幅方向外側から幅方向内側に圧縮する力を分散し、よれを低減し、フィット性の向上を実現している。
【先行技術文献】
【特許文献】
【０００５】
【特許文献１】特開平１０−９９３７２号公報
【特許文献２】特開２０１３−２１５３８８号公報
【発明の概要】
【発明が解決しようとする課題】
【０００６】
上記特許文献２に記載の吸収性物品が備える外側圧搾溝と内側圧搾溝とは連続的に圧搾されているため、圧搾溝に接触した着用者の経血等の体液が拡散しやすい形状となっている。
【０００７】
また、外側圧搾溝と内側圧搾溝との幅方向の間隔は、括れている部分ほど短くなっており、括れている部分においては表面シートが吸収体に強く押しつけられてしまい、吸収体の密度が高くなっている。すなわち、括れている部分に着用者の体液が集まりやすいので、圧搾溝を超えて体液が拡散し、製品の外側に体液が漏れてしまう場合があるといった問題がある。
【課題を解決するための手段】
【０００８】
そこで、本発明は、上記課題に鑑みてなされたものであり、吸収性物品が長時間使用された場合であっても、吸収性能を確保しつつ、フィット性を向上させ、さらに漏れを防ぐことができる吸収性物品を提供することを目的とする。
【０００９】
上述した課題を解決するため、本発明の実施の形態における吸収性物品は、
吸収性物品１は、液透過性の表面シート１０、液不透過性の裏面シート２０及び前記表面シートと前記裏面シートとの間に設けられる吸収体３０を含み、製品の長手方向Ｌと該長手方向に直交する製品の幅方向Ｗとを有する吸収性物品であって、前記長手方向に延びる前記表面シートと前記吸収体とが製品の厚み方向Ｔに圧縮された圧搾溝５０を備え、前記圧搾溝は、一対の第１圧搾溝（第１長手圧搾溝５１）と、該第１圧搾溝と前記長手方向に非平行であって、前記第１圧搾溝よりも前記製品の幅方向両外側に配置された一対の第２圧搾溝（第２長手圧搾溝５２）とを有し、前記一対の第２圧搾溝に挟まれる前記吸収体は、前記一対の第２圧搾溝の間隔が前記幅方向に狭くなった、少なくとも一以上の括れ部５５を有し、前記第１圧搾溝及び前記第２圧搾溝のうちいずれか一方は、前記長手方向に高圧搾部５６と低圧搾部５７とが交互に配置されるように構成され、前記第１圧搾溝及び前記第２圧搾溝のうちいずれか他方は、前記高圧搾部のみから構成されることを特徴とする。
【発明の効果】
【００１０】
本発明の実施の形態における吸収性物品は、吸収性物品が長時間使用された場合であっても、吸収性能を確保しつつ、フィット性を向上させ、さらに漏れを防ぐことができる。
【図面の簡単な説明】
【００１１】
【図１】第１の実施形態における吸収性物品の肌当接面側から見た平面図である。
【図２】図１に示すＡ−Ａ断面及びＢ−Ｂ断面の模式断面図である。
【図３】図１に示す吸収性物品の圧搾溝を拡大した平面図である。
【図４】第２の実施形態における吸収性物品の肌当接面側から見た平面図である。
【図５】第３の実施形態における吸収性物品の肌当接面側から見た平面図である。
【発明を実施するための形態】
【００１２】
本発明の実施の形態（以下、実施形態という。）における吸収性物品について、図面を参照して説明する。本発明の実施形態における吸収性物品１は、例えば、生理用ナプキンである。
【００１３】
＜第１の実施形態＞
第１の実施形態における吸収性物品１を、図１から図３を参照して説明する。図１は、第１の実施形態における吸収性物品１の平面図である。図２は、図１に示すＡ−Ａ断面図（図２（ａ））及びＢ−Ｂ断面図（図２（ｂ））である。図３は、図１に示す平面図において圧搾溝５０を拡大した図である。
【００１４】
以下の説明において、本発明の第１の実施形態における吸収性物品１は、昼用の生理用ナプキンである。したがって、図１に示す吸収性物品１は、長手方向Ｌにおいて着用者の前側に位置する前側領域ＦＡと、着用者の後側に位置する後側領域ＢＡとの長さが略同じである。なお、後述する一対のウイング部の間の領域は、着用者の排泄口が当接する領域を含む中央領域ＣＡである。中央領域ＣＡよりも前側が前側領域ＦＡとなり、中央領域ＣＡよりも後側が後側領域ＢＡとなる。
【００１５】
なお、本発明の第１の実施形態では、昼用の生理用ナプキンを例に挙げて説明しているが、本発明の第１の実施形態の吸収性物品は、夜用の生理用ナプキンに適用することもできる。夜用の生理用ナプキンは、長手方向Ｌにおいて着用者の前側に位置する前側領域ＦＡよりも、着用者の後側に位置する後側領域ＢＡの方が長く構成されている。
【００１６】
吸収性物品１は、着用者の肌に当接する表面シート１０と、液体を透過しない液不透過性の裏面シート２０と、吸収体３０と、を有する。吸収体３０は、表面シート１０と裏面シート２０との間に配設される。吸収体３０は、図１及び図２において破線で示される。吸収体３０は、吸収性物品１の長手方向Ｌ及び幅方向Ｗにおける中央部分に配設される。
【００１７】
吸収性物品１は、図１に示す平面視にて、長手方向Ｌに直交する幅方向Ｗにおいて吸収体３０の外側に設けられるウイング部４３、４４を備える。さらに、吸収性物品１は、幅方向Ｗにおいて吸収体３０の外側に設けられるサイドシート４１、４２を備える。
【００１８】
表面シート１０は、体液等の液体を透過する液透過性のシートである。表面シート１０は、少なくとも吸収体３０の表面を覆う。表面シート１０は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１９】
天然繊維の例としては、粉砕パルプ、コットン等のセルロースが挙げられる。化学繊維の例としては、レーヨン、フィブリルレーヨン等の再生セルロース、アセテート、トリアセテート等の半合成セルロース、熱可塑性疎水性化学繊維、もしくは親水化処理を施した熱可塑性疎水性化学繊維が挙げられる。
【００２０】
前記熱可塑性疎水性化学繊維としては、ポリエチレン（PE）、ポリプロピレン（PP）、ポリエチレンテレフタレート（PET）等の単繊維、PEとPPをグラフト重合してなる繊維、芯鞘構造等の複合繊維が例として挙げられる。
【００２１】
なお、特に不織布には、ウェブフォーミングは、乾式（カード法、スパンボンド法メルトブローン法、エアレイド法等）や湿式等のいずれか、又は複数を組み合わせて行ってもよい。また、ボンディングの方法としては、サーマルボンディング、ニードルパンチ、ケミカルボンディング等の方法が挙げられるが、特にこれらの方法に限定されるものではない。また、水流交絡法によりシート状に形成したスパンレースを用いてもよい。
【００２２】
有孔プラスチックシートとしては、PE、PP、PETといった熱可塑性樹脂の有孔シートや、多孔質の発泡材等を用いることができる。また、これらについては必要に応じて酸化チタンや炭酸カルシウム等からなるフィラーを0.5〜10%の範囲で混入することにより、白濁化させて使用することも好ましい。また、前記熱可塑性樹脂からなるフィルムを、パーフォレーション、ヒートエンボス加工又は機械加工等により開孔した有孔フィルムを使用してもよい。有孔フィルムは、不織布との複合シートとして使用してもよい。
【００２３】
裏面シート２０は、表面シート１０の長さと略同一の長さを有する。裏面シート２０は、ポリエチレンシート、ポリプロピレン等を主体としたラミネート不織布、通気性の樹脂フィルム、スパンボンド又はスパンレース等の不織布に通気性の樹脂フィルムが接合されたシートなどを用いることができる。裏面シート２０は、着用時の違和感を生じさせない程度の柔軟性を有する材料とすることが好ましく、例えば低密度ポリエチレン（LDPE）樹脂を主体とした目付15〜30g/m2の範囲から得られるフィルムを用いることができる。裏面シート２０は、不透液性かつ透湿性であることが望ましく、例えばポリエチレンやポリプロピレン等のオレフィン系樹脂に無機充填剤を溶融混練したものを延伸処理した微多孔性シートによって構成することができる。
【００２４】
吸収体３０は、親水性繊維、パルプを含む。吸収体３０は、経血などの体液を吸収可能な材料によって形成される。例として、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、親水化処理を施した熱可塑性疎水性化学繊維又はケミカルボンド処理されたエアレイドパルプ等を単独若しくは混合して用いることができる。
【００２５】
これらの材料を吸収体に成形する方法は特に限定されるものではないが、例えばエアレイド法、メルトブローン法、スパンレース法、抄紙法等によってシート化したものが使用される。また、吸収体としてセルロース発泡体、合成樹脂の連続発泡体等も使用することができる。さらに、発泡体又は前記シート化した材料を粉砕した後に吸収体に成形したものを使用することも可能である。これらの中でも、パルプを５０〜100%の範囲、粒子状ポリマーを20〜0%の範囲で混合し、テッィシュで被覆した後、エンボス加工によりシート化した目付100〜2000g/m2、1〜50mmの嵩を有する吸収体が挙げられる。エンボス加工は吸収体の型崩れを防止するためであり、エンボス面積率は10〜100%の範囲、好ましくは30〜50%の範囲である。
【００２６】
吸収体３０は、親水性繊維又は粉体をエアレイド法によって積層して形成されてもよいし、親水性繊維又は粉体をエアレイド法によってシート状に成形したエアレイドシートでもよいし、ティッシュ（例えば、目付15ｇ／m2）上に高吸収ポリマーを混入した粉砕パルプを配置し、ティッシュで包むことによって形成されていてもよい。
【００２７】
吸収体３０の厚みは、0.3〜5.0ｍｍであるのが好ましい。吸収体３０の厚みを厚くすることにより、吸収体３０のクッション性を高めることができる。しかし、吸収体３０の厚みを厚くしすぎると、圧搾溝５０によって吸収体３０の厚み方向全体の形状を維持し難くなることがある。よって、吸収体の厚みは、5.0mm以下が望ましい。なお、ここでいう吸収体３０の厚みは、吸収性物品１を構成する表面シート１０、裏面シート２０等の皺が形成されない状態まで伸長させた状態（図１に示す状態）における厚みである。
【００２８】
さらに、薄型吸収体の材料の他の例としては、吸収シート及びポリマーシートが挙げられる。この吸収シート及びポリマーシートとしては、通常、生理用ナプキンなどの吸収性物品に用いられるものであれば特に制限なく用いることができる。
【００２９】
吸収シートとしては、吸収紙や不織布、繊維をバインダー等でシート化したパルプシート等が挙げられ、上記ポリマーシートとしては、粉砕パルプ及び繊維に粒子状ポリマーを混合してシート状に形成したシート等が挙げられる。なお、繊維に粒子状ポリマーを混合してシート状に形成したシートとしては、粒子状ポリマーが層状に分散されているもの、三次元状に分散されているもののいずれも用いることができる。
【００３０】
吸収シートを形成する材料及びポリマーシートに用いられる繊維としては、木材パルプ等のセルロース繊維、レーヨン、キュプラ等の再生セルロース繊維、ポリビニルアルコール繊維やポリアクリロニトリル繊維等の親水性合成繊維、界面活性剤等で繊維表面を親水化したポリエチレン、ポリプロピレン、ポリエチレンテレフタレート、ポリエチレン／ポリプロピレン複合繊維又はポリエチレン／ポリエチレンテレフタレート複合繊維が好ましく、親水性が良好に維持される点からは、セルロース繊維がより好ましい。
【００３１】
ポリマーシートに用いられる粒子状ポリマーとしては、自重の２０倍以上の液体を吸収・保持できかつゲル化し得るものが好ましく、そのような例としては、デンプンや架橋カルボキシメチル化セルロース、ポリアクリル酸及びその塩並びにポリアクリル酸塩グラフト重合体等を挙げることができる。
【００３２】
本実施の形態における吸収体３０は、綿状パルプや合成パルプ等を坪量１００〜３００ｇ／m2程度に積層したパルプを保護紙（図示せず）で包むことによって構成されている。保護紙は、パルプの形状を保持するためのものであり、例えばクレープ紙やティッシュペーパーなどを用いることができる。
【００３３】
吸収体３０は、前後方向に延びる形状であり、裏面シート２０よりも略一回り程度小さい。吸収体３０の幅方向Ｗの長さは、成人女性の股間隔に対応しており、概ね３０〜８０ｍｍである。吸収体３０は、ホットメルトなどの接着剤によって裏面シート２０に接着される。
【００３４】
サイドシート４１、４２は、表面シート１０の両側に配設される。サイドシート４１、４２は、表面シート１０と同様の材料から選ぶことができる。但し、サイドシート４１、４２を乗り越えて吸収性物品１外方へ経血が流れることを防止するためには、疎水性又は撥水性を有することが好ましい。サイドシート４１、４２は、吸収体３０の側縁の一部及びウイング部４３、４４を覆う。
【００３５】
吸収性物品１では、表面シート１０、裏面シート２０、サイドシート４１、４２及び裏面シート２０の周縁が接合されて、吸収体３０が内封される。表面シート１０と裏面シート２０との接合方法としては、ヒートエンボス加工、超音波又はホットメルト接着剤のいずれか一つ又は複数を組み合わせることが可能である。
【００３６】
裏面シート２０において、下着と接触する表面には、複数の領域において粘着剤（図示せず）が塗布されている。粘着剤は、吸収体の裏面側において長手方向Ｌに沿って間欠的に配置されている。粘着剤は、ウイング部４３及びウイング部４４において、下着と接触する表面にも設けられる。使用前の状態では、粘着剤は、図示しない剥離シートに接している。剥離シートは、使用前に粘着剤が劣化するのを防止している。そして、使用時に着用者によって剥離シートが剥離される。
【００３７】
なお、剥離シートを有しない吸収性物品においては、吸収性物品を個別に包装する包装シートによって使用前に粘着剤が劣化するのを防止するように構成されていてもよい。粘着剤と包装シートが接する場合には、包装シートの表面には、粘着剤の粘着力を低下させることなく粘着剤を剥離可能にする処理を施すことが望ましい。
【００３８】
吸収性物品１には、表面シート１０及び吸収体３０を厚み方向に圧縮した圧搾溝５０が形成されている。圧搾溝５０は、吸収性物品１の表面シート１０の肌当接側と吸収体３０の非肌当接側（衣服当接面側）とに対して加工が施されることによって形成された溝である。
【００３９】
圧搾溝５０は、吸収体３０が配置された領域のうち、着用者の排泄口に対向して配置される排泄口が当接する領域の中心を含む中央領域ＣＡの周囲に設けられている。
【００４０】
なお、排泄口が当接する領域の中心とは、着用者の排泄口が当接する中央領域ＣＡの長手方向Ｌ及び幅方向Ｗの中心と一致する。例えば、ウイング部を有する吸収性物品においては、ウイング部の長手方向Ｌの中心が、中央領域の長手方向Ｌの中心となる。また、ウイング部を有しない吸収性物品においては、吸収体の幅方向Ｗの長さ寸法が最も短い位置が、中央領域の長手方向Ｌの中心となる。なお、排泄口が当接する領域は、着用者の股間部と当接する領域に含まれており、着用者の両脚の間に位置する。
【００４１】
圧搾溝５０の形状は、例えば、一定の領域を曲線によって囲んだ円形若しくは楕円形、一定の領域を複数の折れ線で囲んだ多角形若しくは円形又は長手方向Ｌ若しくは幅方向Ｗに沿って延びる直線や曲線である。
【００４２】
圧搾溝５０は、第１長手圧搾溝５１と、第２長手圧搾溝５２と、第１幅圧搾溝５３と、第２幅圧搾溝５４とを備える。
【００４３】
まず、平面視における第１長手圧搾溝５１、第２長手圧搾溝５２、第１幅圧搾溝５３及び第２幅圧搾溝５４の形状について説明する。
【００４４】
第１長手圧搾溝５１と第２長手圧搾溝５２とは、それぞれ長手方向Ｌに延びている圧搾溝５０であって、第１長手圧搾溝５１と第２長手圧搾溝５２とは、非平行である。
【００４５】
第１長手圧搾溝５１は、長手方向Ｌに中央領域ＣＡを含み、幅方向Ｗに間隔を空けて一対配置されている。第１長手圧搾溝５１には、幅方向内側に向かう凸形状を有する曲線部が設けられてもよいし、幅方向Ｗと直交する直線の形状であってもよい。第１長手圧搾溝５１の前側端部５１ＦＥと後側端部５１ＢＥとは、中央領域ＣＡ内の長手方向内側であって、例えばウイング部４３、４４における長手方向Ｌの端部に幅方向Ｗ線上で対向するように設けられる。
【００４６】
なお、第１長手圧搾溝５１に曲線部が設けられる場合、例えば、曲線部は、第１長手圧搾溝５１の長手方向Ｌ両端部から長手方向中心に向かうにつれて、幅方向内側に延びている円弧形状である。但し、第１長手圧搾溝５１の曲線部の形状は、円弧形状でなくてもよい。
【００４７】
第１幅圧搾溝５３は、一対の第１長手圧搾溝５１間において第１長手圧搾溝５１同士を繋ぐように設けられている。具体的には、一対の第１長手圧搾溝５１の前側端部５１ＦＥ同士を繋ぐように第１幅圧搾溝５３が配置され、かつ一対の第１長手圧搾溝５１の後側端部５１ＢＥ同士を繋ぐように第１幅圧搾溝５３が配置されている。第１長手圧搾溝５１と第１幅圧搾溝５３とは連続して配置され、平面視にて環状である。
【００４８】
中央領域ＣＡは、第１長手圧搾溝５１と第１幅圧搾溝５３とによって囲まれた領域である。
【００４９】
第２長手圧搾溝５２は、第１長手圧搾溝５１よりも幅方向両外側に配置され、長手方向Ｌに延びている。第２長手圧搾溝５２は、幅方向Ｗに間隔を空けて一対で配置されている。第２長手圧搾溝５２の長手方向端部は、それぞれ吸収性物品の前側領域ＦＡ及び後側領域ＢＡに位置する。なお、第２長手圧搾溝５２の長手方向端部は、例えば、中央領域ＣＡ内の長手方向内側であって、第１長手圧搾溝５１の端部５１ＦＥ、５１ＦＢに対して幅方向Ｗ線上で対向する位置であってもよい。
【００５０】
第２長手圧搾溝５２は、幅方向内側に少なくとも１ヶ所以上が部分的に第１長手圧搾溝５１に近接する連続した線状を有する。すなわち、一対の第２長手圧搾溝５２に挟まれる吸収体３０は、一対の第２長手圧搾溝の間隔が幅方向Ｗに狭くなった少なくとも１つ以上の括れ部５５を有する。図１には、第２長手圧搾溝５２が、第１長手圧搾溝５１に対して幅方向内側に３ヶ所近接する例が示されている。すなわち、図１の例では、括れ部５５は、３つ設けられている。
【００５１】
また、図１の例では、括れ部５５のうち１ヶ所は、中央領域ＣＡの長手方向中心を通り、かつ幅方向Ｗに沿った中心ラインＣＡＣＬ上に設けられている。本発明の第１の実施形態における吸収性物品は、昼用のナプキンであって前側領域の長手方向Ｌの長さと後側領域の長手方向Ｌの長さとが同じであるため、中央領域ＣＡの長手方向中心は、吸収体の長手方向中心であり、かつ吸収性物品１の長手方向中心となる。
【００５２】
第２幅圧搾溝５４は、一対の第２長手圧搾溝５２間において一対の第２長手圧搾溝５２を繋ぐように設けられている。具体的には、吸収性物品の前側領域ＦＡにおいて一対の第２長手圧搾溝５２の前側端部同士を繋ぐように第２幅圧搾溝５４が配置され、かつ吸収性物品の後側領域ＢＡにおいて一対の第２長手圧搾溝５２の後側端部同士を繋ぐように第２幅圧搾溝５４が配置されている。第２長手圧搾溝５２と第２幅圧搾溝５４とは連続して配置され、平面視にて環状である。第２長手圧搾溝５２と第２幅圧搾溝５４とは、第１長手圧搾溝５１及び第１幅圧搾溝５３を囲むように配置されている。
【００５３】
第１長手圧搾溝５１及び第２長手圧搾溝５２は、長手方向Ｌに沿った直線に対して傾斜するように形成されていてもよく、長手方向Ｌに沿った直線と、第１長手圧搾溝５１又は第２長手圧搾溝５２とによって形成される角度（鋭角側）が４５度以下であるものとする。一方、第１幅圧搾溝５３及び第２幅圧搾溝５４は、幅方向Ｗに沿った直線に対して傾斜するように形成されていてもよく、幅方向Ｗに沿った直線と、第１幅圧搾溝５３又は第２幅圧搾溝５４とによって形成される角度（鋭角側）が４５度未満であるものとする。
【００５４】
また、長手圧搾溝と幅圧搾溝とは、本実施形態のように連なっていてもよいし、離間して配置されていてもよい。具体的には、第１幅圧搾溝５３は、第１長手圧搾溝５１と離間して、第１長手圧搾溝５１よりも長手方向外側に配置されていてもよいし、第１長手圧搾溝５１と離間して、第１長手圧搾溝５１よりも幅方向内側に配置されていてもよい。また、第２幅圧搾溝５４は、第２長手圧搾溝５２と離間して、第２長手圧搾溝５２よりも長手方向外側に配置されていてもよいし、第２長手圧搾溝５２と離間して、第２長手圧搾溝５２よりも幅方向内側に配置されていてもよい。
【００５５】
次に、吸収性物品１の厚み方向Ｔにおける第１長手圧搾溝５１、第２長手圧搾溝５２、第１幅圧搾溝５３及び第２幅圧搾溝５４の形状について説明する。
【００５６】
第１長手圧搾溝５１は、高圧搾部５６と低圧搾部５７とを有する。図２（ａ）は、図１のＡ−Ａ断面の模式断面図であり、Ａ−Ａ断面は中心ラインＣＡＣＬにおける断面である。図１及び図２（ａ）に示すように、Ａ−Ａ断面上の第１長手圧搾溝５１の圧搾部は、低圧搾部５７である。一方、図２（ｂ）は、図１のＢ−Ｂ断面の模式断面図であり、図１及び図２（ｂ）に示すように、Ｂ−Ｂ断面上の第１長手圧搾溝５１の圧搾部は、低圧搾部５７である。
【００５７】
高圧搾部５６は、低圧搾部５７よりも高い力で圧縮された領域であって、例えば、点状の圧搾部の集合である。高圧搾部５６に含まれる点状の圧搾部は、間隔を空けて複数並んで配置されており、全体として一定の領域を形成するように構成されている。
【００５８】
また、図３に示すように、第１長手圧搾溝５１が高圧搾部５６と低圧搾部５７とを有する場合、高圧搾部５６の幅方向内側の長手方向の長さＬ１は、幅方向外側の長手方向Ｌ２より長い。すなわち、高圧搾部５６は、幅方向外側に凸状の形状を有する。これにより、高圧搾部５６の長手方向Ｌ１の端部と第２長手圧搾溝５２との幅方向Ｗの間隔Ｄ１は、長手方向Ｌ２の端部と第２長手圧搾溝との幅方向Ｗの間隔Ｄ２より長くすることができ、表面シート１０による吸収体３０の幅方向内側への圧力を軽減できる。
【００５９】
低圧搾部５７は、高圧搾部５６よりも低い力で圧縮された領域である。本発明の第１の実施形態において、図１及び図３に示すように、第１長手圧搾溝５１が備える高圧搾部５６と低圧搾部５７とは、長手方向Ｌに沿って、所定の長さＬ３の間隔を空けて、交互に配置される。なお、低圧搾部５７は、低い力で圧縮された領域に限らず、圧縮されていない領域を含む。
【００６０】
圧搾溝５０は、密度が高くなるため、圧縮されていない又は弱い力で圧縮されている部分に比べ、着用者の体液が集中しやすい構造となっている。しかしながら、第１の実施形態のように幅方向内側に位置する第１長手圧搾溝５１が、密度が異なる高圧搾部５６と低圧搾部５７とを備えることで、幅方向内側から幅方向外側に向けて体液の流入が集中してしまうことを低減できる。
【００６１】
また、図１及び図３に示すように、括れ部５５が中心ラインＣＡＣＬ上に設けられる場合、中心ラインＣＡＣＬ上の括れ部５５と幅方向において対向する第１長手圧搾溝５１における圧搾部は、低圧搾部５７であることが望ましい。着用者の体液は、最初に吸収体３０の中央部に排出された後、第１長手圧搾溝５１に到達し、所定量の体液が留まる。さらに体液が増えた場合、体液は、第１長手圧搾溝５１から幅方向外側の方向に流れ、第２長手圧搾溝５２に向かう。したがって、体液が集中しやすい括れ部５５の幅方向内側に、より密度の低い低圧搾部５７が設けられることで、第１圧搾溝５１から幅方向外側に流れる体液の括れ部５５への集中を軽減できる。
【００６２】
なお、高圧搾部５６及び低圧搾部５７は、それぞれの領域に高い力で圧縮された領域と低い力で圧縮された領域とを含んで形成されていてもよいし、全体が同じ力で圧縮されて形成されていてもよい。また、高圧搾部５６及び低圧搾部５７は、表面シート１０側から裏面シート２０側に向かって圧縮されていてもよいし、裏面シート２０側から表面シート１０側に向かって圧縮されていてもよいし、表面シート１０側から裏面シート２０側に向かって圧縮された圧搾部と、裏面シート２０側から表面シート１０側に向かって圧縮された圧搾部とが形成されていてもよい。
【００６３】
第２長手圧搾溝５２は、高圧搾部５６を有する。第２長手圧搾溝５２における高圧搾部５６は、第１長手圧搾溝５１における高圧搾部５６と略同じ力で圧縮された領域であって、例えば、点状の圧搾部の集合である。高圧搾部５６に含まれる点状の圧搾部は、間隔を空けて複数並んで配置されており、全体として一定のラインを形成するように構成されている。
【００６４】
第１幅圧搾溝５３は、第１長手圧搾溝５１における高圧搾部５６が連続して円弧状のラインを形成するように構成されている。
【００６５】
第２幅圧搾溝５４は、第２長手圧搾溝５２における高圧搾部５６が連続して円弧状のラインを形成するように構成されている。
【００６６】
圧搾溝５０の厚み方向Ｔの寸法（圧搾部が肌当接面側と衣服当接面側の両方に形成される形態においては、肌当接面側からの寸法と吸収体の衣服当接面側からの寸法との合計深さ）は、0.1mm以上20mm以下が好ましいが、吸収性物品の厚みより浅ければよい。また、肌当接面側の溝の深さは、吸収性物品の厚みに対し20〜50%であればよいが、液体の流通性と溝を折り起点とした変形性を考慮すると30〜60%が好ましい。
【００６７】
また、吸収体の衣服当接面側の高圧搾部５６及び低圧搾部５７の厚みは、それぞれ吸収性物品の厚みに対する5〜20%であればよく、低圧搾部５７の深さの平均が高圧搾部５６よりも小さければよい。衣服当接面側の圧搾部の深さが5％より小さくなると、圧搾部の変形性、可撓性が悪くなる。また20％より大きくなると、圧搾部自体が深くなりすぎて脆弱になる。
【００６８】
具体的には、厚みが7mmの吸収性物品における圧搾部の深さは、衣服当接面側の圧搾部が4mmであり、衣服面側の低圧搾部５７が0.2mm、高圧搾部５６に含まれる点状の圧搾部が0.8mmであると好ましい。
【００６９】
衣服当接面側の高圧搾部５６に含まれる点状の圧搾部の形状は、ドット状、格子状、楕円状などが挙げられるが、点状の圧搾部を交互に配置する場合は格子状の溝であると、加工が容易である。圧搾部の大きさは、0.5mm2から100mm2であり、圧搾部のピッチは、0.5mmから3mmであることが好ましい。
【００７０】
具体的には、高圧搾部５６に含まれる点状の圧搾部の形状が菱形で0.64mm2、高圧搾部５６に含まれる点状の圧搾部の周囲を取り囲む圧搾部は、格子状とした場合1.92mm2であり、点状の圧搾部は0.8mmピッチで繰り返される。
【００７１】
圧搾溝５０の加工方法は、例えば以下のような方法が挙げられる。上下方向に向かい合うエンボスロールの間を通過させて、当該エンボスロールによって上下方向に押圧して圧搾部を形成する。上側のエンボスロールの吸収性物品の肌当接面側との接触面には、１段階の深さが連続した略楕円形状の溝が配置されている。下側のエンボスロールの吸収性物品の衣服当接面側との接触面には、段階の深さからなる溝が配置されている。
【００７２】
なお、圧搾溝５０の加工方法はこれに限らず、ロールの上下を反転させたり、２段階の深さのパターン形状を変更したり、エンボス条件である温度やロール間の距離を適宜調整してもよい。
【００７３】
上述したように、本発明の第１の実施形態における吸収性物品１は、１つ以上の括れ部５５及び第１長手圧搾溝５１が高圧搾部５６と低圧搾部５７とを備え、第２長手圧搾溝５２が高圧搾部５６のみを備える。
【００７４】
本発明の第１の実施形態の吸収性物品１のように複数（３ヶ所）の括れ部５５を備えることにより、括れ部５５に掛かる力が分散して応力が伝播するため、応力集中を抑制できる。よって、吸収性物品の耐久性を向上させて、長時間、吸収性物品１を使用した場合であっても、吸収体の硬化を抑制したり、排泄口が当接する領域のみの幅が短くなることを抑制したりできる。また、複数の括れ部５５がそれぞれ長手方向にずれて位置するため、吸収性物品１が前側や後側にずれ配置された場合であっても、括れ部５５で応力を分散させつつ幅方向内側に吸収体３０を圧縮できる。したがって、着用者の吸収性物品１のフィット性や着用感を向上できる。
【００７５】
また、第１長手圧搾溝５１が備える高圧搾部５６と低圧搾部５７とが長手方向に交互に配置されるため、吸収体３０の厚みが小さい（密度の高い）領域と厚みが大きい（密度の低い）領域とが交互に配置される構成となる。これにより、圧搾部が同程度の力で連続的に圧縮された圧搾部のみから構成される場合に比べ、圧搾溝５０の中で括れ部５５方向の体液の拡散を抑制し、体液の製品外部への漏れを防止できる。
【００７６】
また、本発明の第１の実施形態の吸収性物品１によれば、括れ部５５付近から体液が漏れやすくなるような状況を未然に防ぐことで、括れ部５５の形状を安定して維持できる。すなわち、着用者の脚の間に挟まれて吸収体３０が幅方向外側から幅方向内側に圧縮する力を分散させた形状を維持しやすくなり長時間漏れずによれない形状を維持することができる。
【００７７】
＜第２の実施形態＞
次に、第２の実施形態における吸収性物品１Ａを説明する。
【００７８】
図４（ａ）は、第２の実施形態における吸収性物品１Ａの平面図である。図４（ｂ）は、圧搾溝５０を拡大した図である。
【００７９】
第２の実施形態の吸収性物品１Ａは、複数の括れ部５５を有し、第１長手圧搾溝５１が高圧搾部５６のみを備え、第２長手圧搾溝５２が高圧搾部５６と低圧搾部５７とを備える。第２長手圧搾溝５２が備える高圧搾部５６と低圧搾部５７とは、それぞれ長手方向に交互に配置される。第２の実施形態の吸収性物品１Ａが備えるその他の構成は、第１の実施形態の吸収性物品１が備える構成と同じであればよい。
【００８０】
また、図４（ｂ）に示すように、第２長手圧搾溝５２が高圧搾部５６と低圧搾部５７とを有する場合、高圧搾部５６の幅方向外側の長手方向の長さは、幅方向内側の長手方向の長さより長い。すなわち、高圧搾部５６は、幅方向内側に凸状の形状を有する。これにより、高圧搾部５６の長手方向Ｌ１の端部と低圧搾部５２との幅方向Ｗの間隔Ｄ１は、長手方向Ｌ２の端部と低圧搾部５２との幅方向Ｗの間隔Ｄ２より長くすることができ、表面シート１０による吸収体３０の幅方向内側への押さえつけを軽減できる。すなわち、体液の括れ部５５への集中を抑止できる。
【００８１】
＜第３の実施形態＞
次に、第３の実施形態における吸収性物品１Ｂを説明する。
【００８２】
図５（ａ）は、第３の実施形態における吸収性物品１Ｂの平面図である。図５（ｂ）は、圧搾溝５０を拡大した図である。
【００８３】
第３の実施形態における吸収性物品１Ｂは、第１の実施形態の吸収性物品１同様に、複数の括れ部５５を有し、第１長手圧搾溝５１が高圧搾部５６と低圧搾部５７とを備え、第２長手圧搾溝５２が高圧搾部５６のみを備える。第１長手圧搾溝５１が備える高圧搾部５６と低圧搾部５７とは、それぞれ長手方向に交互に配置される。第３の実施形態の吸収性物品１Ａが備えるその他の構成は、第１の実施形態の吸収性物品１が備える構成と同じであればよい。
【００８４】
第３の実施形態における括れ部５５は、複数配置され、そのうちの一つは、第１の実施形態の場合同様に、中心ラインＣＡＣＬ上に設けられる。そして、中心ラインＣＡＣＬ上の括れ部５５と幅方向Ｗにおいて対向する第１圧搾溝５１の圧搾部は、低圧搾部５７である。
【００８５】
さらに、第３の実施形態では、第１長手圧搾溝５１が備える高圧搾部５６間を繋ぐ低圧搾部５７の幅方向の長さＷ２が、高圧搾部５６の幅方向の長さＷ１より短い。したがって、第１長手圧搾溝５１における低圧搾部５７及び低圧搾部５７に幅方向外側で接する吸収体３０の密度を低くすることができるため、括れ部５５における体液の拡散を抑制できる。
【００８６】
複数の第２曲線部の長手方向Ｌの端部のうち１カ所は、中央領域の長手方向Ｌ中心を通り、かつ幅方向Ｗに沿った中心ラインＣＡＣＬ上に配置されているため、着用者は、排泄口が当接する領域の中心位置を把握でき、装着時の目安になる。よって、着用者は、正しい位置に吸収性物品を配置し易くなり、装着位置のずれを防止できる。適切に吸収性物品が配置されることにより、設計した吸収性能を発揮させることができる。
【００８７】
なお、吸収性物品等の硬さは、例えば、ＪＩＳ-１０９６に規定されているガーレー法を用いて測定することができる。また、吸収体の目付及び密度は、例えば、以下の測定方法によって測定することができる。包装体によって包装された吸収性物品においては包装体を開封し、折り畳まれた吸収性物品を展開して、目付及び密度を測定する部分の厚み及び面積を測定する。次いで、目付及び密度を測定する部分を吸収性物品から切り出し、切り出した部分の重量を測定する。次いで、切り出した部分から表面シート及び裏面シート等、吸収体以外の部分を取り除き、吸収体の重量を測定する。吸収体の重量と、目付及び密度を測定する部分の面積とに基づいて目付を算出する。目付及び厚みに基づいて、密度を算出する。
【００８８】
なお、厚みは、以下のような測定方法によって測定することができる。具体的には、サンプルの吸収性物品を、液体窒素に含浸させて凍結させた後、剃刀でカットし、常温に戻した後、電子顕微鏡（例えば、キーエンス社ＶＥ７５００）を用いて、５０倍の倍率で測定する。ここで、サンプルの吸収性物品を凍結させる理由は、カット時の圧縮により厚みが変動するのを防ぐためである。
【００８９】
次に、実施形態における吸収性物品１の製造方法の一部について説明する。なお、説明しない方法については、既存の方法を用いることができる。吸収性物品の製造方法は、第１ステップとして、表面シート生成工程を行う。
【００９０】
次いで、第２ステップとして、表面シート接合工程を行う。具体的には、表面シート１０とサイドシート４１、４２とを、例えば熱溶着によって接着する。
【００９１】
第３ステップとして、吸収体成型工程を行う。具体的には、成型ドラムによって吸収体の材料となるパルプを成型して吸収体３０を成型する。なお、第１ステップ及び第２ステップの表面シート１０の製造工程と、第３ステップの吸収体成型工程の順序は、逆の順序であってもよい。
【００９２】
第４ステップにおいて、接合工程を行う。具体的には、第３ステップにおいて成型した吸収体と、第２ステップにおいて接合した表面シート１０及びサイドシート４１、４２とを接合する接合工程を行う。
【００９３】
第５ステップにおいて、圧搾工程を行う。具体的には、吸収体３０と表面シート１０とを厚み方向に圧縮し、圧搾溝５０を形成する。
【００９４】
第６ステップにおいて、裏面シート接合工程を行う。具体的には、圧搾部を形成した吸収体及び表面シート１０等と、裏面シート２０とを接合する。裏面シート２０を接合した後、接着剤を塗布する工程を備える。上記の工程により、本実施の形態における吸収性物品を製造することができる。
【００９５】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００９６】
例えば、圧搾溝は、少なくとも第１長手圧搾溝及び第２長手圧搾溝を有していればよく、第１幅圧搾溝及び／又は第２幅圧搾溝を備えていなくてもよい。
【００９７】
また、吸収性物品は、生理用ナプキンに限られず、吸収パッド、パンティーライナーであってもよい。また、例えば、吸収性物品は、吸収体の幅方向外側端部に、ギャザーが形成されていてもよい。
【符号の説明】
【００９８】
ＣＡ…中央領域
ＦＡ…前側領域
ＢＡ…後側領域
Ｌ…長手方向
Ｔ…厚み方向
Ｗ…幅方向
１…吸収性物品
１０…表面シート
２０…裏面シート
３０…吸収体
４１、４２…サイドシート
４３、４４…ウイング部
５０…圧搾溝
５１…第１長手圧搾溝
５２…第２長手圧搾溝
５３…第１幅圧搾溝
５４…第２幅圧搾溝
５５…括れ部
５６…高圧搾部
５７…低圧搾部
【図１】
2015093170.tif 000003
【図２】
2015093170.tif 000004
【図３】
2015093170.tif 000005
【図４】
2015093170.tif 000006
【図５】
2015093170.tif 000007
【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
液透過性の表面シート、液不透過性の裏面シート及び前記表面シートと前記裏面シートとの間に設けられる吸収体を含み、製品の長手方向と該長手方向に直交する製品の幅方向とを有する吸収性物品であって、
前記長手方向に延びる前記表面シートと前記吸収体とが製品の厚み方向に圧縮された圧搾溝を備え、
前記圧搾溝は、一対の第１圧搾溝と、該第１圧搾溝と前記長手方向に非平行であって、前記第１圧搾溝よりも前記製品の幅方向両外側に配置された一対の第２圧搾溝とを有し、
前記一対の第２圧搾溝に挟まれる前記吸収体は、前記一対の第２圧搾溝の間隔が前記幅方向に狭くなった、少なくとも一以上の括れ部を有し、
前記第１圧搾溝及び前記第２圧搾溝のうちいずれか一方は、前記長手方向に高圧搾部と低圧搾部とが交互に配置されるように構成され、前記第１圧搾溝及び前記第２圧搾溝のうちいずれか他方は、前記高圧搾部のみから構成され、
前記第１圧搾溝が前記高圧搾部と前記低圧搾部とを有する場合、前記高圧搾部は、前記幅方向外側に凸状の形状を有する吸収性物品。
【請求項２】
前記低圧搾部の前記幅方向長さが、前記高圧搾部の前記幅方向長さよりも短くなっている請求項１に記載の吸収性物品。
【請求項３】
前記一以上の括れ部のうちの一つが前記長手方向中心に位置し、かつ前記第１圧搾溝が前記高圧搾部及び前記低圧搾部を有する場合、前記第１圧搾溝における前記長手方向中心に前記低圧搾部が配置される請求項１又は２に記載の吸収性物品。